(57)【要約】【課題】埋設筒体に開閉蓋がいらず、ポール本体の着脱操作が容易で、抜け止め機構が簡素な着脱式ポールを提供する。【解決手段】着脱式ポール１は、埋設管体２、ポール本体３、ラッチ部材４を具備する。埋設管体２は、同心の内外側管体５，６を持ち、管体６の上端に、ラッチ受開口８ａ付きの蓋体８を持つ。ポール本体３は、切欠孔３ａを持つ。ラッチ本体９は、ポール本体３内に枢支され、開口８ａに係合する抜け止め位置と、離脱する解除位置間を回転する。ラッチ本体９は、鈎形係合部９ａの斜面９ｃを開口８ａに摺接させて回転し、抜け止め位置で顎部９ｄを開口８ａに係合させ、操作突片９ｂを切欠孔３ａから突出させる。操作突片９ｂが押し込まれると、ラッチ本体９は解除位置へ転動する。【選択図】図１
2018025037.tif 000002
【特許請求の範囲】
【請求項１】
上端が地面に露出するように地面下にほぼ垂直に埋設される埋設管体と、上端が閉じ下部が前記埋設管体に着脱可能に挿入される管状のポール本体と、このポール本体内に設けられる抜け止め用のラッチ部材とを具備し、
前記埋設管体は、外側管体と、この外側管体の内側に前記ポール本体を挿入する間隙を置いて外側管体と同心に配置される内側管体とを具備し、
前記内側管体の上端は、前記ポール本体が前記埋設管体に挿入されるとき前記ラッチ部材の下部の進入を許すラッチ受開口を具備する蓋体によって閉じられ、
前記ポール本体は、前記埋設管体に挿入されたときの地面より上方位置に前記ラッチ部材を外周から突出させる切欠孔を具備し、
前記ラッチ部材は、前記ポール本体が前記埋設管体に挿入されたときの地面より上方位置において水平枢軸により前記ポール本体内に枢支され前記蓋体のラッチ受開口の内縁に係合する抜け止め位置と当該ラッチ受開口の内縁との係合が外れる解除位置との間を回転自在で抜け止め位置へ回転付勢されるばねラッチ本体を具備し、
前記ラッチ本体は、前記水平枢軸より下方に位置する鈎形係合部と、前記水平枢軸より上方に位置する操作突片とを具備し、
前記鈎形係合部は、前記ポール本体を前記埋設管体に挿入するときに前記蓋体のラッチ受開口の内縁に下端から上端へと摺接して前記ラッチ本体を解除位置へ回転させる斜面と、この斜面の上端に連続し当該斜面が前記蓋体のラッチ受開口の内縁を通過した後前記ラッチ本体を抜け止め位置へ復帰させて当該ラッチ受開口の内縁の下面に係合する顎部とを具備し、
前記操作突片は、前記ラッチ本体が抜け止め位置にあるとき前記ポール本体の切欠孔を介して当該ポール本体の外側へ突出し、当該ポール本体内へ押し込まれたとき前記ラッチ本体を解除位置へ転動させるように配置されることを特徴とする着脱式ポール。
【請求項２】
前記内側管体の蓋体のラッチ受開口は、当該内側管体と前記ポール本体との所定の軸周り相対回転角度位置において前記ラッチ本体を受入可能な形状に構成され、
前記外側管体と前記内側管体との間隙の底部の一部には、上方へ立ち上がったガイド突部が設けられ、
前記ポール本体の下端部の一部には、当該ポール本体と前記内側管体との前記所定の軸周り相対回転角度位置において前記ガイド突部を受け入れる位置決め切欠部が形成され、
前記ラッチ本体は、前記ポール本体の下端が前記ガイド突部上に載った状態において下端が前記内側管体の蓋体に到達しない相対位置に設けられることを特徴とする請求項１に記載の着脱式ポール。
【請求項３】
前記ラッチ本体の操作突片は、前記ポール本体の切欠孔から突出する位置に、錠掛け孔を具備することを特徴とする請求項１に記載の着脱式ポール。
【請求項４】
上端が地面に露出するように地面下にほぼ垂直に埋設される埋設管体と、上端が閉じ下部が前記埋設管体内に着脱可能に挿入されるポール本体と、このポール本体内に設けられる抜け止め用のラッチ部材と、このラッチ部材を前記ポール本体の上部位置において操作するためのラッチ操作部材とを具備し、
前記埋設管体は、外側管体と、この外側管体の内側に前記ポール本体を挿入する間隙を置いて外側管体と同心に配置される内側管体とを具備し、
前記内側管体の上端は、前記ポール本体が前記埋設管体に挿入されるとき前記ラッチ部材の下部の進入を許すラッチ受開口を具備する蓋体によって閉じられ、
前記ラッチ部材は、前記ポール本体が前記埋設管体に挿入されたときの地面より上方位置において水平枢軸により前記ポール本体内に枢支され前記蓋体のラッチ受開口の内縁に係合する抜け止め位置と当該ラッチ受開口の内縁との係合が外れる解除位置との間を回転自在で抜け止め位置へ回転付勢されるラッチ本体を具備し、
前記ラッチ本体は、前記水平枢軸より下方に位置する鈎形係合部と、前記水平枢軸より上方に位置する操作突片とを具備し、
前記鈎形係合部は、前記ポール本体を前記埋設管体に挿入するときに前記蓋体のラッチ受開口の内縁に下端から上端へと摺接して前記ラッチ本体を解除位置へ回転させる斜面と、この斜面の上端に連続し当該斜面が前記蓋体のラッチ受開口の内縁を通過した後前記ラッチ本体を抜け止め位置へ復帰させて当該ラッチ受開口の内縁の下面に係合する顎部とを具備し、
前記操作突片は、前記ラッチ本体が抜け止め位置にあるとき前記ポール本体の内周に当接し、解除位置にあるとき当該ポール本体の内周から離れるように構成され、
前記ラッチ操作部材は、下端において前記操作突片に枢支され前記ポール本体内をそれの上部位置まで延び前記ラッチ本体を抜け止め位置に配置する下位のロック位置と解除位置に配置する上位の非ロック位置との間を昇降自在の連結杆と、前記ポール本体の上部位置において当該ポール本体の外側から前記連結杆を昇降操作可能な鍵部材とを具備することを特徴とする着脱式ポール。
【発明の詳細な説明】
【技術分野】
【０００１】
本発明は、本発明は車両の通行を止める等の目的で路面に着脱式に設置されるポールに関する。
【背景技術】
【０００２】
従来、例えば特許文献１に記載されるように、路面下にほぼ垂直状に埋設される埋設筒体に、筒状の支柱本体の下部が着脱可能に挿入されてなる車止め等の支柱が知られている。支柱本体内には、抜け止め用の係止片が回動可能に設けられる。係止片は、鈎形状係止部と操作突部とを具備し、支柱本体の路面より上方位置における一側内面に固定された保持具にその上端部が軸支される。鈎形状係止部は、路面より下方の一端側に設けられる。操作突部は、路面と保持具との間に設けられる。係止片の自重により、鈎形状係止部が、支柱本体側面の下部切欠孔から突出して埋設筒体の係止孔部に係止され、また操作突部が、支柱本体側面の上部切欠孔から突出する。操作突部には南京錠用孔が設けられる。外部へ突出した操作突部を支柱本体内へ押し込むことによって、係止片が回動され係止孔部部との係止が解除される。
【先行技術文献】
【特許文献】
【０００３】
【特許文献１】特開平７−１６３８０６号公報
【発明の概要】
【発明が解決しようとする課題】
【０００４】
上記従来の支柱においては、埋設筒体から支柱本体を抜き取った後、埋設筒体の上端の開口が地面にむき出しになるので、これを閉じて土砂の浸入を防ぐ蓋体が必要になる。これに伴い、支柱の着脱の際、蓋の開閉作業が必要となる。また、係止孔部が埋設筒体の地面下の埋没位置に設けられるため、土砂を遮る必要上、構造が比較的複雑になるという問題点がある。
したがって、本発明は、埋設筒体の上端に開閉操作する蓋体を必要とせず、ポール本体の着脱操作が比較的容易であり、また抜け止め機構が簡素な着脱式ポールを提供することを目的としている。
【課題を解決するための手段】
【０００５】
以下、添付図面の符号を参照して説明するが、本発明はこれに限定されるものではない。
上記課題を解決するための、本発明の着脱式ポール１は、上端が地面Ｅに露出するように地面下にほぼ垂直に埋設される埋設管体２と、上端が閉じ下部が前記埋設管体２に着脱可能に挿入される管状のポール本体３と、このポール本体３内に設けられる抜け止め用のラッチ部材４とを具備する。埋設管体２は、外側管体５と、この外側管体５の内側に前記ポール本体３を挿入する間隙を置いて外側管体５と同心に配置される内側管体６とを具備する。内側管体６の上端は、蓋体８によって閉じられる。蓋体８は、ポール本体３が埋設管体２に挿入されるとき、ラッチ部材４の下部の進入を許すラッチ受開口８ａを具備する。ポール本体３は、埋設管体２に挿入されたときの地面Ｅより上方位置に、ラッチ部材４を外周から突出させる切欠孔３ａを具備する。ラッチ部材４は、ポール本体３が埋設管体２に挿入されたときの地面Ｅより上方位置において水平枢軸１１によりポール本体３内に枢支されるラッチ本体９を具備する。ラッチ本体９は、抜け止め位置（図１の実線）と解除位置（図１の仮想線）との間を回転自在で、抜け止め位置に回転付勢され、抜け止め位置において蓋体８のラッチ受開口８ａの内縁に係合し、解除位置においてラッチ受開口８ａの内縁との係合が外れる。ラッチ本体９は、水平枢軸１１より下方に位置する鈎形係合部９ａと、水平枢軸１１より上方に位置する操作突片９ｂとを具備する。鈎形係合部９ａは、斜面９ｃと顎部９ｄとを具備する。斜面９ｃは、ポール本体３を埋設管体２に挿入するときに蓋体８のラッチ受開口８ａの内縁に下端から上端へと摺接してラッチ本体９を解除位置へ回転させる。顎部９ｄは、この斜面９ｃの上端に連続し、斜面９ｃが蓋体８のラッチ受開口８ａの内縁を通過した後、ラッチ本体９を抜け止め位置へ復帰させて、ラッチ受開口８ａの内縁の下面に係合する。操作突片９ｂは、ラッチ本体９が抜け止め位置にあるとき、ポール本体３の切欠孔３ａを介してポール本体３の外側へ突出し、ポール本体３内へ押し込まれたとき、ラッチ本体９を解除位置へ転動させる。
【発明の効果】
【０００６】
本発明の着脱式ポール１においては、ポール本体３を埋設管体２から抜き取った後、埋設管体２の上端は、内側管体６と外側管体５との間の比較的狭い環状の隙間Ｇと、内側管体６の上端を閉じる蓋体８の比較的狭小なラッチ受開口８ａが開放するだけであるから、別途開閉蓋を設けなくても、埋設管体２内への土砂の浸入を十分に遮ることができる。内側管体６の上端を閉じる蓋８がラッチ部材４との係合部となるから、構造が簡素である。
【図面の簡単な説明】
【０００７】
【図１】（Ａ），（Ｂ）は、それぞれ９０度異なる角度による、本発明に係る着脱式ポールの縦断面図である。
【図２】図１の着脱式ポールにおける埋設管体の縦断面図である。
【図３】図１の着脱式ポールにおける埋設管体の平面図である。
【図４】図１の着脱式ポールにおけるポール本体の縦断面図である。
【図５】図１の着脱式ポールにおけるポール本体の横断面図である。
【図６】図１の着脱式ポールにおけるポール本体の側面図である。
【図７】本発明の他の実施形態に係る着脱式ポールにおけるポール本体の縦断面図である。
【図８】本発明のさらに他の実施形態に係る着脱式ポールにおけるポール本体の縦断正面図である。
【図９】図８の着脱式ポールにおけるポール本体の縦断側面図である。
【図１０】図８の着脱式ポールにおけるポール本体の平図である。
【発明を実施するための形態】
【０００８】
図面を参照して本発明の実施の形態を説明する。図１に示すように、着脱式ポール１は、上端が地面Ｅに露出するように、地面下にほぼ垂直に埋設される埋設管体２と、上端が閉じ、下部が埋設管体２に着脱可能に挿入される管状のポール本体３とを具備する。このポール本体３内には、抜け止め用のラッチ部材４が設けられる。
【０００９】
埋設管体２は、外側管体５と、この外側管体の内側にポール本体３を挿入する環状の間隙Ｇを置いて、外側管体５と同心に配置される内側管体６とを具備する。外側管体５と内側管体６とは、下端において底板７により一体に結合される。底板７は、水抜き孔７ａを有する。外側管体５の上端には、フランジ５ａが設けられる。
【００１０】
内側管体６の上端は、それの外周よりわずかに外側へ張り出す蓋体８によって閉じられる。蓋体８の外周と外側管体５のフランジ５ａとの間には、ポール本体３を挿通させることができる最小限の狭小な環状隙間が形成される。蓋体８は、ポール本体３が埋設管体２に挿入されるとき、ラッチ部材４の下部が進入するラッチ受開口８ａを具備する。
【００１１】
ポール本体３は、埋設管体２に挿入されたときの地面Ｅより上方位置に、ラッチ部材４を外周から突出させる切欠孔３ａを具備する。
【００１２】
ラッチ部材４は、ラッチ本体９と、これを回転付勢するばね１０とを具備する。ラッチ本体９は、ポール本体３が埋設管体２に挿入されたときの地面Ｅより上方位置において、水平枢軸１１により、ポール本体３内に枢支され、抜け止め位置（図１（Ａ）実線）と解除位置（図１（Ａ）仮想線）との間を回転自在である。ばね１０、ラッチ本体９を抜け止め位置に回転付勢する。なお、ラッチ本体９は、ばね１０によらずに、自重により抜け止め位置に回転付勢する構成とすることもできる。
【００１３】
ラッチ本体９は、抜け止め位置（図１（Ａ）実線）において蓋体８のラッチ受開口８ａの内縁に係合し、解除位置（図１（Ａ）仮想線）においてラッチ受開口８ａの内縁との係合が外れる。
【００１４】
ラッチ本体は、水平枢軸１１より下方に位置する鈎形係合部９ａと、水平枢軸１１より上方に位置する操作突片９ｂとを具備する。鈎形係合部９ａは、斜面９ｃと顎部９ｄとを具備する。
【００１５】
斜面９ｃは、ポール本体３を埋設管体２に挿入するとき、蓋体８のラッチ受開口８ａの内縁に下端から上端へと摺接してラッチ本体９解除位置（図１（Ａ）仮想線）へ回転させる。
【００１６】
顎部９ｄは、この斜面９ｃの上端に連続し、斜面９ｃがラッチ受開口８ａの内縁を通過した後、ラッチ本体９を抜け止め位置（図１（Ａ）実線）へ復帰させて、ラッチ受開口８ａの内縁の下面に係合する。
【００１７】
操作突片９ｂは、ラッチ本体９が抜け止め位置にあるとき、ポール本体３の切欠孔３ａを介してポール本体３の外側へ突出する。操作突片９ｂがポール本体３内へ押し込まれたとき、ラッチ本体９は解除位置へ転動する。操作突片９ｂの押し込みは、作業者が身体をかがめることなく、足先で容易に行うことができる。
【００１８】
図３に示すように、蓋体８のラッチ受開口８ａは、ラッチ本体９の断面形状に対応する、蓋体８の半径方向に長い細長矩形状であり、蓋体８の中心軸周りの所定の角度で半径方向へ延びる。したがって、ラッチ受開口８ａは、内側管体６とポール本体３との所定の軸周り相対回転角度位置においてラッチ本体９を受入可能である。
【００１９】
外側管体５と内側管体６との間の環状間隙Ｇ内の所定の軸周り回転角度（ラッチ受開口８ａの延長角度と同じ）位置の底板７上には、上方へ立ち上がったガイド突部１２が設けられる。
【００２０】
ポール本体３の下端部の一部には、ラッチ受開口８ａの延長角度と同じ軸周りの回転角度位置に、ガイド突部１２を受け入れる位置決め切欠部３ｂが形成される。したがって、ポール本体３は、位置決め切欠部３ｂとガイド突部１２とが合致しない軸周り相対回転位置（図１(Ｂ)）においては、埋設管体２の底部まで下端が到達しない。この状態において、ラッチ本体９の下端は蓋体８に到達しない。位置決め切欠部３ｂとガイド突部１２とが合致する（図１(Ａ)）と、ポール本体３は、埋設管体２の底部まで落ち込み、同時にラッチ本体９とラッチ受開口８ａとが合致し、ラッチ本体９がラッチ受開口８ａ内へ進入する。これにより、ラッチ本体９が蓋体８に衝突して損傷するのを防止する。
【００２１】
図７に示す他の実施形態において、ラッチ本体９の操作突片９ｂは、ポール本体３の切欠孔３ａから突出する位置に、南京錠１３のフックをかける錠掛け孔９ｅを具備する。南京錠１３で施錠することにより、無権限者によるポール本体３の抜き取りを防止することができる。
【００２２】
図８ないし図１０に示す他の実施態様において、ポール本体３は、先の実施形態における切欠孔３ａを有しない。ラッチ本体９は、先の実施形態と同様、斜面９ｃと顎部９ｄを有する鈎形係合部９ａと、操作突片９ｂとを具備する。この実施形態の操作突片９ｂは、先の実施形態における操作突片９ｂと異なり、ラッチ本体９が抜け止め位置（図８における実線）にあるとき、ポール本体３の内周に当接し、解除位置（図８における仮想線）にあるとき当該ポール本体３の内周から離れるように構成される。操作突片９ｂには、ラッチ操作部材１４の下端が枢支される。
【００２３】
ラッチ操作部材１４は、連結杆１５と鍵部材１６とを具備する。連結杆１５は、下端においてラッチ本体９に枢支され、ポール本体３内をそれの上部位置まで延び、下位のロック位置（図８における実線）と上位の非ロック位置（図８における仮想線）との間を昇降自在である。連結杆１５は、下位のロック位置においてラッチ本体９を抜け止め位置に配置し、上位の非ロック位置においてラッチ本体９を解除位置に配置する。連結杆１５の上端部には、フック部１５ａが形成される。鍵部材１６は、ポール本体３の上部位置において、ポール本体３の外側から、連結杆１５を昇降操作可能である。ポール本体３の上端部には、鍵孔３ｃが形成される。この鍵孔３ｃからポール本体３内に鍵部材１６を挿入して９０°回転させることにより、鍵部材１６をフック部１５ａに掛け、引き上げることにより、ロック位置にあるラッチ本体９を解除位置へ回転させることができる。連結杆１５と鍵部材１６との連結機構としては、公知の錠前とリンク機構との組み合わせなど、適宜公知の錠機構を選択採用できる。
【符号の説明】
【００２４】
１      着脱式ポール
２      埋設管体
３      ポール本体
３ａ    切欠孔
３ｂ    位置決め切欠部
３ｃ    鍵孔
４      ラッチ部材
５      外側管体
６      内側管体
７      底板
８      蓋体
９      ラッチ本体
９ａ    鈎形係合部
９ｂ    操作突片
９ｃ    斜面
９ｄ    顎部
９ｅ    錠掛け孔
１０    ばね
１１    水平枢軸
１２    ガイド突部
１３    南京錠
１４    ラッチ操作部材
１５    連結杆
１６    鍵部材
Ｇ      隙間
Ｅ      地面
【図１】
2018025037.tif 000003
【図２】
2018025037.tif 000004
【図３】
2018025037.tif 000005
【図４】
2018025037.tif 000006
【図５】
2018025037.tif 000007
【図６】
2018025037.tif 000008
【図７】
2018025037.tif 000009
【図８】
2018025037.tif 000010
【図９】
2018025037.tif 000011
【図１０】
2018025037.tif 000012